(57)【要約】【課題】シロッコファン用のモータを使用して低コスト化を図るとともに安定的にケーシングを回転させることのできる空気攪拌装置を提供すること。【解決手段】モータ１３によって回転させられるシロッコファン１７と、同シロッコファン１７の回転軸１５と同軸に回転可能に支持され、同シロッコファンの外周を包囲するとともに送風口から集中的に風を噴出させるようにした回転ケーシング１９とを備えた空気攪拌装置において、回転ケーシング１９の底面にレール５８を形成し、同ベース１１の天板２０に回転可能に支持されるとともにモータ１３からの回転力の伝達を受けて回転するプーリ３７を配置する。そして、レール５８をプーリ３７上部の当接面４０ａとプーリ３７の回転中心から偏倚した位置で当接させる。これによって回転ケーシング１９はスリップ可能にかつ安定して回転させられる。【選択図】　　　図２
2004044938.tif 000002
【特許請求の範囲】
【請求項１】
円周上に立設された複数の羽根板を連結して全体として円筒形形状に構成し、モータから付与される回転力によって回転させられることで外周に向かって送風するシロッコファンと、
同シロッコファンの回転軸と同軸あるいは平行な軸線回りに回転可能に支持され、同シロッコファンの外周を包囲して風を遮蔽する遮蔽部を備えるとともに、同遮蔽部の一部に形成した送風口から集中的に風を噴出させるようにしたケーシングとを備えた空気攪拌装置において、
前記ケーシングの下方位置には前記モータからの回転力の伝達を受けて回転する同ケーシングの回転軸線と平行な回転軸線を有する回転部材を配置し、同回転部材の回転力を同ケーシング側に形成された同ケーシングの回転中心から等距離に配置されるリング状の摩擦体に対して摩擦力によって伝達させるようにしたことを特徴とする空気攪拌装置。
【請求項２】
前記摩擦体は前記回転部材の回転中心から偏倚した上部当接面に対して下端が当接される突状であって、同回転部材の回転力を同突条を介して同ケーシングに伝達させるようにしたことを特徴とする空気攪拌装置。
【請求項３】
前記回転部材の前記ケーシングの回転中心からの距離は変更可能であることを特徴とする請求項１又は２に記載の空気攪拌装置。
【請求項４】
前記回転部材は可撓性無端紐状体によって前記モータからの回転力が伝達されるプーリであることを特徴とする請求項２又は３に記載の空気攪拌装置。
【請求項５】
円周上に立設された複数の羽根板を連結して全体として円筒形形状に構成し、モータから付与される回転力によって回転させられることで外周に向かって送風するシロッコファンと、
同シロッコファンの回転軸と同軸あるいは平行な軸線回りに回転可能に支持され、同シロッコファンの外周を包囲して風を遮蔽する遮蔽部を備えるとともに、同遮蔽部の一部に形成した送風口から集中的に風を噴出させるようにしたケーシングとを備えた空気攪拌装置において、
前記ケーシングの下方位置には前記モータからの回転力の伝達を受けて回転する回転円盤体を同回転円盤体の回転軸線が同ケーシングの回転軸線と直交するとともに同ケーシングの回転中心を通過するように配置し、同回転円盤体の外周面を同ケーシングの底面と当接させ、同回転円盤体の回転力を下方から同ケーシングに伝達させるようにしたことを特徴とする空気攪拌装置。
【請求項６】
前記回転円盤体の前記ケーシングの回転中心からの距離は変更可能であることを特徴とする請求項５に記載の空気攪拌装置。
【発明の詳細な説明】
【０００１】
【発明の属する技術分野】
本発明は例えば家屋の床下や温室の梁等に固定されてこれらの空間内の空気を攪拌するための空気攪拌装置に関するものである。
【０００２】
【従来の技術】
従来から主として換気装置と組み合わされて家屋の床下等に設置されて使用される空気攪拌装置が存する。これは主として基礎によって間仕切られて流れの悪い床下の空気を攪拌して換気機能の向上を図ったり上下の温度や湿度を均等にするために使用されるものである。また、換気装置がなくそれのみで設置することで湿気やすい部位（例えば浴槽回りなど）に空気が滞らないように攪拌することも可能である。空気攪拌装置はモータでファンを回転させ風を起こすものであり、一般にファンの種類としてプロペラファン及びシロッコファンが採用されている。しかし、シロッコファンのほうがプロペラファンに比べ送風圧力が高くその周囲に送風できて空気攪拌能力が高い点ためより多く採用されている。
このような従来の空気攪拌装置としてシロッコファンをケーシング内に配置しケーシングに送風口（送風口）を形成するタイプがある。このような構成ではシロッコファン全周囲に向けて送風するのではなく一定の方向に向いた送風口によって風量を絞るため風圧が上がり更に床下等設置場所に一定の空気流ができるため滞った空気を攪拌することができる。
ここに、ケーシングを回転させる手段としては、例えばケーシング回転用の別個のモータを配設てシロッコファンとは別個の制御で回転させたり、シロッコファンの風圧を応用して風力によって回転させたりすること等が考えられる。
【０００３】
【発明が解決しようとする課題】
しかしながら、別個のモータを配設することは高コスト化を招来し、なおかつこのケーシング回転用モータに関する構造が追加されることで空気攪拌装置が大型化、重量化及び複雑化することとなってしまう。また、シロッコファンの風圧を応用する場合ではケーシングの比較的ゆっくりした回転を安定的に保持するように設定することはかなり困難となる。そのため、低コストで安定的にケーシングを回転させる技術が求められていた。
本発明は、このような従来の技術に存在する問題点に着目してなされたものである。その目的とするところは、シロッコファン用のモータを使用して低コスト化を図るとともに安定的にケーシングを回転させることのできる空気攪拌装置を提供することにある。
【０００４】
【課題を解決するための手段】
上記の目的を達成するために、請求項１に記載の発明では、円周上に立設された複数の羽根板を連結して全体として円筒形形状に構成し、モータから付与される回転力によって回転させられることで外周に向かって送風するシロッコファンと、同シロッコファンの回転軸と同軸あるいは平行な軸線回りに回転可能に支持され、同シロッコファンの外周を包囲して風を遮蔽する遮蔽部を備えるとともに、同遮蔽部の一部に形成した送風口から集中的に風を噴出させるようにしたケーシングとを備えた空気攪拌装置において、前記ケーシングの下方位置には前記モータからの回転力の伝達を受けて回転する同ケーシングの回転軸線と平行な回転軸線を有する回転部材を配置し、同回転部材の回転力を同ケーシング側に形成された同ケーシングの回転中心から等距離に配置されるリング状の摩擦体に対して摩擦力によって伝達させるようにしたことをその要旨とする。
請求項２に記載の発明では請求項の発明の構成に加え、前記摩擦体は前記回転部材の回転中心から偏倚した上部当接面に対して下端が当接される突状であって、同回転部材の回転力を同突条を介して同ケーシングに伝達させるようにしたことをその要旨とする。
請求項３に記載の発明では請求項１又は２の発明の構成に加え、前記回転部材の前記ケーシングの回転中心からの距離を変更可能としたことをその要旨とする。請求項４に記載の発明では請求項２又は３の発明の構成に加え、前記回転部材は可撓性無端紐状体によって前記モータからの回転力が伝達されるプーリとしたことをその要旨とする。
【０００５】
このような構成では、モータによってシロッコファンが回転させられると発生した風は羽根板の外周方向に向かって吹く。一方、ケーシングの遮蔽部によって遮蔽された風は送風口から集中的に噴出される。このときケーシングの遮蔽部によって遮蔽されたシロッコファンからの風は集中的に送風口から送風されることとなる。ケーシングはケーシング回転手段によってシロッコファンの回転軸と同軸あるいは平行な軸線回りに回転させられる。
ここに、ケーシングの下方位置にはケーシングの回転軸線と平行な回転軸線を有する回転部材が配置され、この回転部材はシロッコファンを回転させるモータからの回転力によって回転させられる。一方、ケーシング側にはケーシングの回転中心から等距離に配置されるリング状の摩擦体が形成され、その結果、回転部材の回転力が摩擦力によって摩擦体に伝達されてケーシングが回転することとなる。そして摩擦体を大きな径で形成することができるためモータの回転数の減速率を大きくすることができる。
この場合に摩擦体はケーシングの回転中心から等距離に配置されるケース底面に形成された突条であることが好ましい。この突条は回転部材の回転中心から偏倚した上部当接面と当接するようになっている。その結果、回転部材の回転力が摩擦によって突条に伝達されてケーシングが回転することとなる。そして突条を大きな径で形成することができるためモータの回転数の減速率を大きくすることができ、かつケーシングは突条を介して回転部材上に載置されるだけなのでケーシングを回転部材に対してスリップさせることが可能となる。
ここに、回転部材はケーシングの回転中心からの距離を変更することでケーシングの回転方向や回転速度を変更することが可能である。回転部材としては種々の形状が想定されるが、可撓性無端紐状体によって回転力が伝達されるプーリが好ましい。可撓性無端紐状体の概念にはベルト様のものも含む。
【０００６】
また、請求項５に記載の発明では、円周上に立設された複数の羽根板を連結して全体として円筒形形状に構成し、モータから付与される回転力によって回転させられることで外周に向かって送風するシロッコファンと、同シロッコファンの回転軸と同軸あるいは平行な軸線回りに回転可能に支持され、同シロッコファンの外周を包囲して風を遮蔽する遮蔽部を備えるとともに、同遮蔽部の一部に形成した送風口から集中的に風を噴出させるようにしたケーシングとを備えた空気攪拌装置において、前記ケーシングの下方位置には前記モータからの回転力の伝達を受けて回転する回転円盤体を同回転円盤体の回転軸線が同ケーシングの回転軸線と直交するとともに同ケーシングの回転中心を通過するように配置し、同回転円盤体の外周面を同ケーシングの底面と当接させ、同回転円盤体の回転力を下方から同ケーシングに伝達させるようにしたことをその要旨とする。
請求項６に記載の発明では請求項５の発明の構成に加え、前記回転円盤体の前記ケーシングの回転中心からの距離を変更可能としたことをその要旨とする。
【０００７】
このような構成では、モータによってシロッコファンが回転させられると発生した風は羽根板の外周方向に向かって吹く。一方、ケーシングの遮蔽部によって遮蔽された風は送風口から集中的に噴出される。このときケーシングの遮蔽部によって遮蔽されたシロッコファンからの風は集中的に送風口から送風されることとなる。ケーシングはケーシング回転手段によってシロッコファンの回転軸と同軸あるいは平行な軸線回りに回転させられる。
ここに、ケーシングの下方位置には回転円盤体が回転軸線が同ケーシングの回転軸線と直交するとともに同ケーシングの回転中心を通過するように配置され、その外周面においてケーシングの底面に当接されている。この回転円盤体はシロッコファンを回転させるモータからの回転力によって回転させられる。そして、回転円盤体の回転力が摩擦によって伝達されケーシングが回転することとなる。そして回転円盤体はケーシング底面に対して大きな円周となるように接することができるためモータの回転数の減速率を大きくすることができ、かつケーシングは単に回転円盤体上に載置されるだけなのでケーシングを回転円盤体に対してスリップさせることが可能となる。
ここに、回転円盤体はケーシングの回転中心からの距離を変更することでケーシングの回転方向や回転速度を変更することが可能である。
【０００８】
【発明の効果】請求項１〜請求項６に記載の発明では、シロッコファンのモータを援用して効率的に減速させることができるため、低コスト化を図ることが可能となる。
【０００９】
【発明の実施の形態】
以下、本発明の空気攪拌装置を具体化した実施の形態について図面に基づいて説明する。
図１及び図２に示すように、空気攪拌装置はベース１１と、同ベース１１に支持されたモータ１３及び同モータ１３の出力軸１５に固定されたシロッコファン１７、及び同ベース１１上部に配置された回転ケーシング１９とによって基本構造が構成されている。
ベース１１は円筒形の外観形状をなす合金製の筐体である。モータ１３は同ベース１１の天板２０の中央位置に形成された透孔２１に対してモータ用ケーシング２３に収納されて配設されている。モータ用ケーシング２３は横断面円形の碗状体をフランジ２３ａで連結した容器である。図２に示すように、モータ用ケーシング２３は同フランジ２３ａを介して固定ねじ２４によって固定されている。モータ用ケーシング２３の上部中央には出力軸１５を包囲する筒状の保持金具２２が固着されている。出力軸１５は保持金具２２に形成された切り欠き２２ａから側方に露出されている。切り欠き２２ａからは後述するゴムリング３９が側方に延出されるようになっている。
本実施の形態１ではモータ１３はインダクションモータとされ、モータ１３装着状態においてその出力軸１５がベース１１に対して垂直となるようにモータ用ケーシング２３から上方に向かって立設されている。
出力軸１５にはシロッコファン１７が同出力軸１５と一体回転可能に装着されている。シロッコファン１７は主板２５と側板２６によって連結された多数の羽根板２７が周方向に所定間隔で配列されて構成されている。羽根板２７は湾曲した横断面形状を有する長尺の板状体であって、時計回りに回転する本実施の形態１では図４に示すように進行方向側に凹部２７ａが向けられている。
シロッコファン１７は主板２５中央に配置された軸受け２９を介して前記モータ１３の出力軸１５に固定されている。
ベース１１には四方にアジャスタ脚３０が配設されており、ベース１１の高さや傾斜を調整できるようになっている。
【００１０】
図２及び図５に示すように、ベース１１の天板２０上には軸受け用の第１及び第２のカラー３１，３２が互いに隣接する所定位置に立設されている。図６に示すように、両カラー３１，３２によって包囲された天板２０面には上下に貫通する透孔３３が形成されている。本実施の形態では第１のカラー３１を使用してシャフト３５が立設されている。同シャフト３５の上端位置にはボール軸受け３６を介してプーリ３７が装着されている。従って、プーリ３７はシャフト３５に対して回動自在とされている。図６に示すように、シャフト３５の下端にはねじ穴３５ａが形成されている。シャフト３５はその下端側において第１のカラー３１内に挿入され、天板２０の裏面から透孔３３を介してねじ３８がねじ穴３５ａに螺着されることで固定されるようになっている。
プーリ３７と前記モータ１３の出力軸１５との間には可撓性無端紐状体としてのゴムリング３９が張設されており、出力軸１５の回転力が減速されてプーリ３７に伝達されるようになっている。プーリ３７の上部中央位置には周囲よりも肉厚とされた当接部４０が形成されており、同当接部４０の上面に円形平面の当接面４０ａが形成されている。
天板２０上において前記モータ１３（モータ用ケーシング２３）を挟んでプーリ３７と対向する位置には案内ローラ４３がブラケット４４上端に回動自在に装着されている。案内ローラ４３の回転軸の軸心は出力軸１５方向を向いている。図２に示すように、案内ローラ４３はブラケット４４によって若干内側に傾斜した状態で保持されている。
【００１１】
図１及び図２に示すように、回転ケーシング１９は円形の天板４５と同天板４５周縁から下垂する遮蔽壁４７と同天板４５と平行に配設された円形の底板４８とより外形が構成されている。天板４５の中央には空気取り入れ口としての透孔４９が形成されており、同透孔４９位置には金網５０に保持された粗スポンジ製のストレーナ５１が配設されている。
図４に示すように、遮蔽壁４７の１８０度対向する２箇所にはそれぞれ全周のほぼ１／６を占める送風口５２が形成されている。図４に示すように、送風口５２に面してシロッコファン１７からの送風を送風口５２から外側に導く導風体５３が形成されている。導風体５３はシロッコファン１７と遮蔽壁４７との間隔を狭めることで空気抵抗を上げ、シロッコファン１７の周囲に発生した風を集中的に送風口５２から排出させるようにしたものである。送風口５２には保護フェンス５４が配設されている。
【００１２】
図２に示すように、底板４８の中央には透孔５５が形成されており、回転ケーシング１９がベース１１上にセットされた状態において、前記モータ用ケーシング２３に固定した保持金具２２先端が同透孔５５内に配置されている。保持金具２２に対して透孔５５周縁はボール軸受け５７を介して支持されている。その結果、回転ケーシング１９は中央位置で保持金具２２、前記モータ用ケーシング２３等を介してベース１１に回転可能に支持されることとなる。
図２及び図７に示すように、回転ケーシング１９の底板４８には出力軸１５を包囲する真円のリング形状の摩擦体（あるいはの突条）としてのレール５８がプレス成形によって一体的に形成されている。図２に示すように、レール５８は断面三角形状とされ、下端縁５８ａ（つまり三角形の下角部）が前記プーリ３７の当接面４０ａに当接されている。図５及び図７に示すように、本実施の形態では下端縁５８ａは当接面４０ａの中心よりも若干外方に偏倚した位置で接している。プーリ３７と１８０度対向する位置において前記案内ローラ４３が回転ケーシング１９の底板４８に当接されている。
【００１３】
このように構成された空気攪拌装置の作用について説明する。
空気攪拌装置を室内の床下あるいは屋根裏等に設置し、図示しないスイッチを入力する。すると、モータ１３が駆動され出力軸１５を介してシロッコファン１７が図４においてＰ１の矢印で示す時計回りに回転させられる。シロッコファン１７は羽根板２７の外周方向に送風するとともに、自身が図４において時計回りに回転しているためシロッコファン１７と回転ケーシング１９との間で風は全体として時計回りに送られることとなる。時計回りに送られた風は回転ケーシング１９の送風口５２と面して直接シロッコファン１７から送風される風と合流して送風口５２から噴出する。
一方、出力軸１５の回転力はゴムリング３９からプーリ３７に伝達される。プーリ３７の径は出力軸１５の径に比較してかなり大きいので、この第１段階で大きく減速される。プーリ３７に伝達された回転力は当接面４０ａとレール５８の下端縁５８ａとの当接により回転ケーシング１９に伝達されシロッコファン１７と同様時計回りに回転させられる。この作用をより詳しく説明する。
【００１４】
図５及び図７に示すように、レール５８の下端縁５８ａは当接面４０ａに対してその中心よりもわずかに外方位置において接している。ここに図９に示すように当接面４０ａの中心よりも外方位置は図上時計回りの回転となっているため、この外方位置において接するレール５８の下端縁５８ａ（図９におけるＡ線）にも同方向の回転力が付与されることとなる。また、下端縁５８ａは当接面４０の中心寄りにおいては回転ケーシング１９の回転方向とほぼ同方向へのトルクが付与されるものの、当接面４０ａの縁寄りほどトルク付与方向に対して回転ケーシング１９の回転方向が横切るような位置関係とされてしまう。つまり、当接面４０ａと接することで下端縁５８ａは概ね図９において時計回りの回転力を付与されるものの、当接面４０の縁寄りでは下端縁５８ａと当接面４０との間には僅かなスリップが生じていることとなる。更に、回転ケーシング１９の回転中心はプーリ３７の回転中心とはずれた位置に配置されているため下端縁５８ａは当接面４０ａの全面と交差することとなる。つまり、下端縁５８ａはプーリ３７の回転に伴って当接面４０ａの全面と接することとなる。
レール５８の径は当接面４０の径に対してに比較してかなり大きいので、この段階でも大きく減速される。本実施の形態では分速７００回転に設定された出力軸１５の回転数はこのような減速機構によって減速された結果回転ケーシング１９は分速６回転に設定されている。
【００１５】
回転ケーシング１９は下端縁５８ａの当接面４０ａとの摩擦力によって駆動が伝達されているため、回転ケーシング１９に回転ケーシング１９の回転トルクを減衰させるような過負荷がかかる場合には下端縁５８ａと当接面４０ａとの間はスリップして回転ケーシング１９の回転速度は遅くなり、あるいは停止することとなる。
また、プーリ３７の配置位置を変更することによって回転ケーシング１９の回転方向を変えることが可能である。すなわち、上記ではプーリ３７を第１のカラー３１に対して立設させており、レール５８の下端縁５８ａは図５、図７及び図９に示すように、当接面４０ａに対してその中心よりも外方位置において接していた。しかし、図５の仮想線及び図８に示すように第２のカラー３２に立設させることで当接面４０ａに対してその中心よりも内方位置において接するようにすることで上記とは逆方向に回転ケーシング１９を回転させることができる。すなわち、図９に示すように当接面４０ａの中心よりも内方位置は図上反時計回りの回転となっているため、この内方位置において接するレール５８の下端縁５８ａ（図９におけるＢ線）に図上反時計回りの回転力が付与されることとなるからである。
【００１６】
このように構成することにより本実施の形態は次のような効果を奏する。
（１）回転ケーシング１９が回転して送風口５２が全周囲に向くため、全周囲に対して均等に送風でき、攪拌能力が極めて向上する。
（２）送風口５２に風を集中できるため風量を多くすることができ、周囲の空間に空気流を作ることができ更に攪拌能力が向上する。
（３）回転ケーシング１９は不安定なシロッコファン１７の風力を利用して回転させることもなく、また、別個のモータを使用して回転させることもないため経済的で低コスト化に貢献する。
（４）シロッコファン１７用のモータ１３を駆動源とするに際してゴムリング３９とプーリ３７のみによって回転ケーシング１９側に回転力を伝達できるため、歯車を介した駆動伝達系に比べて構造が複雑化せず部品点数も少なくなるため低コスト化に貢献する。
（５）プーリ３７から回転ケーシング１９への駆動の伝達は摩擦力によって実行されているため、回転ケーシング１９に負荷がかかってもスリップするだけでモータ１３からの駆動伝達系に不具合が生じることがない。また、回転ケーシング１９の自重が当接部４０の当接面４０ａにかかり摩擦が生じることとなっており、摩擦を生じさせるための付勢手段を特に必要としない。
（６）当接部４０の当接面４０ａの外方と内方にレール５８の下端縁５８ａの配置位置を変更するだけで回転ケーシング１９の回転方向を容易に変更できるため、現場の状況に合わせた設定が可能となっている。
（７）当接面４０ａは全面がレール５８の下端縁５８ａとすり合うため片減りがなく回転ケーシング１９の回転が極めて安定したものとなる。
（８）案内ローラ４３は傾斜しているため回転ケーシング１９の底板４８に対して面ではなく点で接することができるため、接触抵抗が軽減でき、かつ案内ローラ４３の初期配置における設定作業が容易である。
（９）レール５８は回転ケーシング１９の底板４８に対して底板４８のプレス成形時に一体的に形成できるため、コストダウンとなり、かつ底板４８の強度も向上することとなる。
【００１７】
尚、この発明は、次のように変更して具体化することも可能である。
・上記実施の形態ではプーリ３７の位置は第１と第２のカラー３１，３２の２箇所とし、回転方向を変更できるようようにしたが、回転方向だけではなく回転速度も変更させるために更にプーリ３７の位置を移動させるようにしてもよい。理論的には当接面４０ａの中心に近くなるほど回転ケーシング１９の回転は遅くなるからである。このため例えば、天板２０に長溝を形成し、この長溝に沿って所望の位置にシャフト３５を固定させるようにしてもよい。
・図１０に示すように空気攪拌装置を構成してもよい。この空気攪拌装置では上記のようなプーリ３７ではなく一対のベベルギア６０，６１によって出力軸１５から伝達される回転力の方向を９０度変更し、回転円盤体としての円盤６３の周縁を回転ケーシング１９の底板４８に当接させている。円盤６３の回転軸線は回転ケーシング１９の回転軸線である出力軸１５と直交するとともにケーシング１９の出力軸１５中心を通過するように配置されている。このような構成であれば上記実施の形態のようなレール５８を回転ケーシング１９の底板４８に形成する必要はない。また、上記実施の形態と同様にモータ１３から駆動を得ているため低コスト化に貢献する。また、円盤６３の位置を変更することで容易に速度を変えることができる。
・また、図１１及び図１２に示すように空気攪拌装置を構成してもよい。図１０と異なりベベルギア６０，６１ではなくウォームと６５とホイール６６とにより構成されるウォームギヤ装置６７によって出力軸１５から伝達される回転力の方向を９０度変更し、ホイール６６の回転軸６８に回転円盤体としての円盤６３を固着し、同円盤６３の周縁を回転ケーシング１９の底板４８に当接させるようにしてもよい。特にウォームギヤ装置６７では減速比を大きく設定し易いので回転ケーシング１９のようなゆっくりした回転を要求される装置には好適である。また、円盤６３の位置を変更することで容易に速度を変えることができる。
・図１３に示すように、回転ケーシング１９の底板４８裏面側にブラケット７０を介して摩擦体としての合成ゴム製のリング７１が固着されている。リング７１はケーシング１９の出力軸１５を中心とした真円形状とされており、摩擦面７１ａは外側方を向いて配置されている。一方、プーリ３７の中央上部位置には横断面円形の駆動伝達軸７２がプーリ３７と一体回転可能に立設されている。駆動伝達軸７２の外周面はリング７１の摩擦面７１ａと接触させられている。
このような構成ではプーリ３７が回転するとその回転力は駆動伝達軸７２から摩擦力でリング７１に伝達される、そして、ケーシング１９が回転することとなる。
・上記実施の形態ではレール５８は真円のリング形状とされていたが、レール５８は当接する当接面４０ａと摩擦力で駆動されているにすぎないため、それほどその円形の形状に厳密さは必要ではない。例えば、レール５８の一部が途切れていたり、多少歪んでいて真円でなくとも構わない。
・回転ケーシング１９やベース１１の形状は随時変更可能である。
・上記各実施の形態では送風口５２は２つであった。しかし、送風口５２を１つとしたり、３つ以上に設定することは自由である。また、送風口５２の幅や形状は随時変更可能である。
・保持金具２２による回転ケーシング１９の保持は必ずしも必要ではない。
・モータの形式等は変更可能である等その他、本発明の趣旨を逸脱しない態様で実施することは自由である。
【００１８】
【図面の簡単な説明】
【図１】本発明の実施の形態の空気攪拌装置の斜視図。
【図２】同じ空気攪拌装置の縦断面図。
【図３】同じ空気攪拌装置の平面図。
【図４】同じ空気攪拌装置の天板を取り去った状態の平面図。
【図５】天板上のプーリ付近の説明をする部分拡大平面図。
【図６】プーリの取り付け方法を説明する説明図。
【図７】回転ケーシングとプーリが同方向に回転する場合における回転ケーシングの底板及びプーリの底面図。
【図８】回転ケーシングとプーリが逆方向に回転する場合における回転ケーシングの底板及びプーリの底面図。
【図９】プーリの回転トルクの方向を説明する説明図。
【図１０】他の実施の形態の空気攪拌装置の概略正面図。
【図１１】他の実施の形態の空気攪拌装置の概略正面図。
【図１２】他の実施の形態の特にウォームギヤ装置の概略を説明する説明図。
【図１３】他の実施の形態の空気攪拌装置の部分縦断面図。
【符号の説明】
１３…モータ、１５…シロッコファンの回転軸としての出力軸、１７…シロッコファン、１９…ケーシングとしての回転ケーシング、２７…羽根板、３７…回転部材としてのプーリ、３９…可撓性無端紐状体としてのゴムリング、４０ａ…上部当接面、４７…遮蔽部、５２…送風口、５８…摩擦体及び突条としてのレール、６３…回転円盤体としての円盤、７１…摩擦体としてのリング。
【図１】
2004044938.tif 000003
【図２】
2004044938.tif 000004
【図３】
2004044938.tif 000005
【図４】
2004044938.tif 000006
【図５】
2004044938.tif 000007
【図６】
2004044938.tif 000008
【図７】
2004044938.tif 000009
【図８】
2004044938.tif 000010
【図９】
2004044938.tif 000011
【図１０】
2004044938.tif 000012
【図１１】
2004044938.tif 000013
【図１２】
2004044938.tif 000014
【図１３】
2004044938.tif 000015